(57)【要約】      （修正有）【課題】光ネットワークにおいて光信号の光分散を補償する。【解決手段】光分散を補償する方法は、光ネットワークの第一のノードで、第一のチャネルのセットと第二のチャネルのセットとを含む光信号を受信するステップを含む。第一のチャネルのセットと第二のチャネルのセットは、それぞれ、光ネットワークの第二のノードでコヒーレントデジタル受信機を使用して受信される。それぞれのコヒーレントデジタル受信機は、第二のノードで受信されたチャネルについて電子的な光分散の補償を提供する。また、本方法は、それらのチャネルに光分散の補償を施すことなしに、第一のノードから第一のチャネルのセットを転送するステップを含む。さらに、本方法は、第一のノードで第二のチャネルのセットにおける光分散を補償し、それらのチャネルを第一のノードから転送するステップを含む。【選択図】図３
2011193462.tif 000002
【特許請求の範囲】
【請求項１】
複数のチャネルを含む光信号の光分散を補償する光ネットワークの第一のノードであって、
前記複数のチャネルは、前記光ネットワークの第二のノードで１以上の受信機を使用してそれぞれ受信される前記１以上のチャネルからなる第一のセットと１以上のチャネルからなる第二のセットとを含み、それぞれのコヒーレントデジタル受信機は、前記第二のノードで受信されたチャネルの電子的な光分散の補償を提供し、
当該第一のノードは、
当該第一のノードで前記１以上のチャネルからなる第一のセットに光分散の補償を施すことなしに、当該第一のノードから前記１以上のチャネルからなる第一のセットを転送するスイッチと、
当該第一のノードで前記１以上のチャネルからなる第二のセットにおける光分散を補償する光分散補償装置とを備え、
前記光分散補償装置は、前記１以上のチャネルからなる第二のセットに関連する前記第二のノードで前記コヒーレントデジタル受信機により提供される光分散の補償に加えて光分散の補償を提供し、
前記スイッチは、前記光分散補償装置から前記１以上のチャネルからなる第二のセットを受信し、当該第一のノードからの前記１以上のチャネルからなる第二のセットを、前記１以上のチャネルからなる第一のセットと共に転送する、第一のノード。
【請求項２】
前記１以上のチャネルからなる第一のセットは、前記１以上のチャネルからなる第一のセットの始点から前記第二のノードまでの予め指定された距離未満の距離にわたり伝送され、
前記１以上のチャネルからなる第二のセットは、前記１以上のチャネルからなる第二のセットの始点から前記第二のノードまでの前記予め指定された距離を超える距離にわたり伝送され、
前記第二のノードのコヒーレントデジタル受信機は、前記予め指定された距離を超える距離について伝送された信号の光分散を完全に補償することができない、
請求項１記載の第一のノード。
【請求項３】
前記１以上のチャネルからなる第一のセットにおいて伝送される情報は、100Gb/sで伝送され、
前記１以上のチャネルからなる第二のセットにおいて伝送される情報は、100Gb/sで伝送される、
請求項１記載の第一のノード。
【請求項４】
前記受信された光信号を、少なくとも前記受信された第一のコピーと前記受信された光信号の第二のコピーとに分割する第一のカプラを更に備え、
前記スイッチは、前記第一のコピーにおける前記１以上のチャネルからなる第二のセットを終端し、
前記光分散補償装置は、前記第二のコピーに光分散の補償を施し、
前記スイッチは、前記第二のコピーにおける前記１以上のチャネルからなる第一のセットを終端し、
前記スイッチは、前記第一のコピーにおける前記１以上のチャネルからなる第一のセットを、光分散の補償が施された前記第二のコピーにおける前記１以上のチャネルからなる第二のセットと結合する、
請求項１記載の第一のノード。
【請求項５】
前記光分散補償装置から前記補償された第二のコピーを受信し、補償された第二のコピーを第三のコピーと第四のコピーとに分割する第二のカプラと、
前記第四のコピーを受信し、受信された第四のコピーを分離して、前記第四のコピーの１以上のチャネルを１以上のコヒーレントデジタル受信機に転送するデマルチプレクサとを更に備え、
前記スイッチは、前記第三のコピーを受信し、前記第三のコピーにおける前記１以上のチャネルからなる第一のセットを終端し、前記第三のコピーにおける前記１以上のチャネルからなる第二のセットを前記第一のコピーにおける前記１以上のチャネルからなる第一のセットと結合する、
請求項４記載の第一のノード。
【請求項６】
前記第一のカプラから前記第二のコピーを受信し、受信された第二のコピーを第三のコピーと第四のコピーとに分割し、前記第三のコピーを前記光分散補償装置に転送する第二のカプラと、
前記第四のコピーを受信し、受信された第四のコピーのチャネルを分離し、前記第四のコピーの分離された１以上のチャネルを１以上のコヒーレントデジタル受信機に転送するデマルチプレクサとを更に備え、
前記スイッチは、前記光分散補償装置から補償された第三のコピーを受信し、前記第二のコピーにおける前記１以上のチャネルからなる第一のセットを終端し、前記第三のコピーにおける前記１以上のチャネルからなる第二のセットを前記第一のコピーにおける前記１以上のチャネルからなる第一のセットと結合する、
請求項４記載の第一のノード。
【請求項７】
前記受信された光信号を、少なくとも前記受信された光信号の第一のコピーと前記受信された第二のコピーとに分離する第一のカプラと、前記スイッチは、前記第一のコピーにおける前記１以上のチャネルからなる第二のセットを終端し、
前記第二のコピーを第三のコピーと第四のコピーとに分割し、光分散の補償を施すことなしに前記第三のコピーを当該第一のノードの第二のスイッチに転送し、前記第四のコピーを前記光分散補償装置に転送する第二のカプラと、前記光分散補償装置は、前記第四のコピーに光分散の補償を施し、補償された第四のコピーを前記第一のスイッチと前記第二のスイッチとに転送し、
前記第三のコピーのゼロ以上のチャネルと、前記第二のスイッチからの前記第四のコピーのゼロ以上のチャネルとをデマルチプレクサに転送する第二のスイッチと、
前記受信されたチャネルを分離して、分離されたチャネルを当該第一のノードに関連する１以上のコヒーレントデジタル受信機に転送するデマルチプレクサとを更に備え、
前記スイッチは、前記第四のコピーにおける前記１以上のチャネルからなる第一のセットを終端し、前記第一のコピーにおける前記１以上のチャネルからなる第一のセットを、光分散の補償が施された前記第四のコピーにおける前記１以上のチャネルからなる第二のセットと結合する、
請求項１記載の第一のノード。
【請求項８】
前記受信された光信号は、前記第二のノードで１以上のダイレクト受信機を使用してそれぞれ受信される１以上のチャネルのセットからなる第三のセットを含み、
当該第一のノードは、前記１以上のチャネルからなる第三のセットにおける光分散を補償する第二の光分散補償装置を更に備え、
前記１以上のチャネルからなる第三のセットへの光分散の補償は、前記１以上のチャネルからなる第二のセットへの光分散の補償とは異なる、
請求項１記載の第一のノード。
【請求項９】
前記１以上のチャネルからなる第一のセットで伝送される情報は、40Gb/s又は100Gb/sで伝送され、
前記１以上のチャネルからなる第二のセットで伝送される情報は、40Gb/s又は100Gb/sで伝送され、
前記１以上のチャネルからなる第三のセットで伝送される情報は、10Gb/sで伝送される、
請求項８記載の第一のノード。
【請求項１０】
光信号の光分散を補償する方法であって、
光ネットワークの第一のノードで複数のチャネルを含む光信号を受信するステップと、前記複数のチャネルは、それぞれが前記光ネットワークの第二のノードで１以上のコヒーレントデジタル受信機を使用して受信される１以上のチャネルからなる第一のセットと１以上のチャネルからなる第二のセットとを含み、それぞれのコヒーレントデジタル受信機は、前記第二のノードで受信されたチャネルについて電子的な光分散の補償を提供し、
前記第一のノードでの前記１以上のチャネルからなる第一のセットへの光分散の補償を施すことなしに、前記第一のノードから前記１以上のチャネルからなる第一のセットを転送するステップと、
前記第一のノードで前記１以上のチャネルからなる第二のセットにおける光分散を補償し、前記第一のノードから前記１以上のチャネルからなる第二のセットを転送するステップとを含み、
前記第一のノードでの前記１以上のチャネルからなる第二のセットへの光分散の補償は、前記第二のノードでの関連するコヒーレントデジタル受信機により提供される光分散の補償に加えて提供される光分散の補償である、方法。
【発明の詳細な説明】
【技術分野】
【０００１】
本発明は、光ネットワークに関するものであり、より詳細には、光信号における光分散を補償する方法及びシステムに関する。
【背景技術】
【０００２】
電気通信システム、ケーブルテレビジョンシステム及びデータ通信ネットワークは、遠隔地間で大量の情報を迅速に伝達するために光ネットワークを使用する。光ネットワークでは、光ファイバを通して光信号の形式で情報が伝達される。光ファイバは、非常に低い損失で長距離にわたり信号を伝達可能な薄型のガラスストランドからなる。光ネットワークは、伝送容量を高めるために波長分割多重（WDM）又は高密度波長分割多重（DWDM）を採用することがある。WDM又はDWDMネットワークでは、個別の波長でそれぞれのファイバで多数の光チャネルが搬送され、これによりネットワーク容量が高められる。
【０００３】
異なる波長からなる光信号は、光分散を受け、異なる周波数をもつスペクトル成分に光波が分離される望まれない現象が生じる。光分散は、異なる波長が異なる速度で伝播するために生じる。光分散のために、そのそれぞれのチャネルに光波が分離されることで、特定の光信号の光分散の補償が必要とされる。
【発明の概要】
【発明が解決しようとする課題】
【０００４】
増え続けるデータ量及びデータトラフィックのビットレートのため、将来的な伝送危機は、毎秒数百ギガビット（100Gb/s）のトラフィックのような、高速トラフィックを効率的に収容可能であることが必要であり、10Gb/s信号のような同じファイバで低速トラフィックを収容することが必要である。（40Gb/s信号を含む場合もある）高速信号を受信するため、デジタルシグナルプロセッサを有するデジタルコヒーレント受信機が使用される。（コヒーレント受信機とは対照的に）従来のダイレクト受信機を使用した10Gb/s及び40Gb/sのWDM伝送システムでは、光信号で発生された異なるタイプの波形歪みを管理するために様々な光分散の補償技術が使用される。しかし、係る従来の光分散の補償で利用可能な補償の量及び精度は、100Gb/s信号について不十分である。係る信号について、デジタルコヒーレント受信機は、光分散の補償の制限を超える波形歪みの補償を提供する。しかし、係る高速ネットワークにおける信号の補償について問題がなお存在する。
【課題を解決するための手段】
【０００５】
本発明の特定の実施の形態によれば、光信号における光分散（optical  dispersion）を補償する方法は、光ネットワークの第一のノードで複数のチャネルを含む光信号を受信することを含む。複数のチャネルは、第一のチャネルのセットと第二のチャネルのセットを含んでおり、これら第一及び第二のチャネルのセットは、光ネットワークの第二のノードでコヒーレントデジタル受信機を使用して受信されるように構成される。それぞれのコヒーレントデジタル受信機は、第二のノードで受信されたチャネルについて電子的な光分散の補償を提供する。また、本方法は、第一のノードで第一のチャネルのセットに関する光分散の補償を施すことなしに、第一のノードから第一のチャネルのセットを転送することを含む。さらに、本方法は、第一の光ノードでの第二のチャネルのセットにおける光分散を補償すること、及び第一のノードから第二のチャネルのセットを転送することを含む。第一のノードでの第二のチャネルのセットに関する光分散の補償は、第二のノードでの関連するコヒーレントデジタル受信機により提供される補償に加えて、光分散の補償を提供する。
【０００６】
本発明の１以上の実施の形態による技術的な利点は、40Gb/s及び／又は100Gb/s信号のような高速データを搬送する複数のチャネルからなる光信号に光分散の補償を施すことを含む場合がある。係る信号は、コヒーレント光受信機を使用して受信される場合があるが、係る受信機は、長距離で適切な光分散の補償を提供しない場合がある。本発明の特定の実施の形態は、係る長時間の高速信号の適切な分散を提供する。
【発明の効果】
【０００７】
本発明の１以上の実施の形態による技術的な利点は、異なる変調技術及び／又は異なるビットレートを使用して変調されたデータを搬送する複数のチャネルからなる光信号に関する光分散の補償を施すことを含む場合もある。たとえば、本発明の１以上の実施の形態は、ダイレクト光受信機を使用して受信された100Gb/sのNRZ（non-return-to-zero）チャネル、並びに、コヒーレント光受信機を使用して受信された40Gb/s及び／又は100Gb/sの差動位相偏移変調（DPSK）又は差動直交位相偏移変調（DQPSK）チャネルからなるWDM信号の光分散の補償を実行する場合がある。全てのチャネルのセットの適切な光分散の補償は、変動する信号及び受信機のタイプにも関わらず行われる。
【０００８】
本発明の１以上の実施の形態の技術的利点は、異なる変調フォーマットをもつチャネルからなる光信号に関して光分散の補償を行う経済的に効率的なシステム及び方法を可能にする。本発明の１以上の実施の形態は、光ネットワークで現在使用されているシステムコンポーネントを含むか、或いは、現在使用されているコンポーネットの経済的に効率的なアップグレードを可能にするか、又は現在使用されているコンポーネントへの経済的に効果的な追加を可能にする。
【０００９】
本発明の様々な実施の形態は、列挙された技術的利点の一部又は全部を含む場合があることを理解されるであろう。さらに、本発明の他の技術的な利点は、図面及び発明の実施の形態及び特許請求の範囲から当業者にとって容易に明らかとなるであろう。
【図面の簡単な説明】
【００１０】
本発明及びその特徴並びに利点の更に完全な理解のため、添付図面と共に行われる以下の発明の実施の形態が参照される。
【図１】高速光ネットワークの１実施の形態を例示するブロック図である。
【図２】光ファイバを通してある距離を伝播する100Gb/s信号における累積される分散の例示的な量を例示するグラフである。
【図３】本発明の特定の実施の形態に係る光分散を補償する図１のネットワークの光分岐挿入多重化装置を例示するブロック図である。
【図４】本発明の別の実施の形態に係る光分散を補償する図１のネットワークの別の光分岐挿入多重化装置の例示するブロック図である。
【図５】本発明の別の実施の形態に係る光分散を補償する図１のネットワークの更に別の光分岐挿入多重化装置を例示するブロック図である。
【図６】本発明の別の実施の形態に係る光分散を補償する図１のネットワークの更なる光分岐挿入多重化装置を例示するブロック図である。
【発明を実施するための形態】
【００１１】
図１は、例示的な光ネットワークを例示する。光ネットワーク１０は、光ネットワーク１０のコンポーネントにより伝達される１以上の光信号を伝送可能な１以上の光ファイバ２８を含む。光ファイバ２８により互いに結合される光ネットワーク１０のコンポーネントは、端末ノード１２ａ及び１２ｂ、並びに１以上の光分岐挿入多重化装置（OADM）３０を含む。光ネットワーク１０は、端末ノードによるポイントツーポイント光ネットワークとして示されているが、光ネットワーク１０は、リング型光ネットワークとして、メッシュ型光ネットワークとして、又は他の適切な光ネットワークとして、或いは、光ネットワークの組み合わせとして構成される場合もある。光ネットワーク１０は、短距離用のメトロポリタンネットワーク、長距離用のインターシティネットワーク又はネットワークの組み合わせで使用される場合がある。
【００１２】
端末ノード１２ａは、送信機１４及び多重化装置１８を含む（更には増幅器のような他のコンポーネントを含む場合がある）。送信機１４は、送信機又は光信号を送信する他の適切な装置を含む。それぞれの送信機１４は、電気的な情報を受信し、１以上の光の波長を変調し、波長に関して情報を符号化する。光ネットワーキングでは、光の波長は、チャネルとも呼ばれる。それぞれの送信機１４は、関連する波長に関して光学的に符号化された情報を送信する。多重化装置１８は、マルチプレクサ又はマルチプレクサの組み合わせ、或いは異なるチャネルを１つの信号に結合する他の装置を含む。マルチプレクサ１８は、送信機１４により送信された異なるチャネルを受信し、受信された異なるチャネルをファイバ２８に沿った通信用の光信号に結合する。
【００１３】
ファイバ２６は、多重チャネル化された信号を増幅するために使用される。増幅器２６は、ファイバ２８の所定の長さの前及び／又は後に位置される場合がある。増幅器２６は、光信号を増幅する光リピータを備える。この増幅は、光−電気変換又は電気−光変換なしに実行される場合がある。特定の実施の形態では、増幅器２６は、希土類元素でドープされた光ファイバを有する。信号がファイバを通して伝播するとき、光ファイバのドープされた部分の元素を励起するために外部エネルギーが印加され、これにより光信号の強度が高められる。例として、増幅器２６は、エルビウムがドープされたファイバ増幅器（EDFA）を有する。しかし、ラマン増幅器のような適切なタイプの増幅器が使用される場合がある。
【００１４】
単一の光信号の多チャネルで情報を伝達するプロセスは、光学において、波長分割多重化（WDM）と呼ばれる。高密度波長分割多重化（DWDM）は、通常40よりも大きい多数（高密度）の波長をファイバに多重化することを示す。光ファイバ当たりの合計の帯域幅を高めるため、WDM、DWDM又は他の多波長伝送技術が光ネットワークで採用される。WDM又はDWDMがなければ、ネットワークにおける帯域幅は、単に１波長のビットレートに制限される。より多くの帯域幅により、光ネットワークは、より多くの情報量を伝送可能である。光ネットワーク１０における端末ノード１２ａは、WDM、DWDM、又は他の適切な多チャネル多重化技術を使用して異なるチャネルを送信して多重化し、多チャネル信号を増幅する。
【００１５】
上述されたように、光ネットワークを通して伝送することができる情報量は、情報で符号化された且つ１つの信号に多重化される光チャネルの数と共にダイレクトに変化する。従って、WDMを採用した光信号は、単に１つのチャネルを通して情報を搬送する光信号よりも多くの情報を搬送する場合がある。DWDMを採用した光信号は、より多くの情報を搬送する場合がある。搬送されるチャネル数の他に、光ネットワークを通してどの位多くの情報を伝送することができるかに影響を及ぼす別の要素は、伝送のビットレートである。ビットレートが高くなると、より多くの情報が伝送される場合がある。
【００１６】
光ネットワーク容量における改善及びアップグレードは、１つの光信号に多重化される波長の数を増加すること、又はそれぞれの波長で伝播する情報のビットレートを増加することを含む。何れの場合においても、全体の光システムを置き換えることよりも、既存のネットワークコンポーネントを使用、変更又は追加することが通常は費用対効果が高い。光システムをアップグレードするコストに関連する理由のため、より大きな帯域幅を提供する新たな技術とより小さな帯域幅を提供する古い技術の両者をネットワークがサポートする必要があるステージにおいてアップグレードが行われることがある。
【００１７】
今日、既存のネットワークは、10Gb/sで情報を伝送し、たとえばNRZ（non-return-to-zero）変調技術を使用して情報を変調する。信号伝送のアップグレードは、たとえば光信号を変調するために差動位相遷移変調（DPSK）又は差動四相位相遷移変調（DQPSK）を使用して、40Gb/sで情報を伝送することを含む。全体の光ネットワークの送信機をアップグレードすることは、大部分の光ネットワークオペレータにとって桁違いに費用がかかるので、多くの係るオペレータは、代わりに、既存の10Gb/sのNRZ送信機を40及び／又は100Gb/sのDPSK又はDQPSK送信機（これらのタイプの送信機は、例としてのみ使用される）で徐々に置き換えることで、それらのネットワークをアップグレードすることを望む。さらに、オペレータは、このアップグレードされた送信機に対応して受信機をアップグレードし、これら高速信号を受信可能なコヒーレント受信機を提供する。
【００１８】
既存の送信機でアップグレードされた送信機を統合する費用対効果の高いストラテジを実現することを望む者が直面する１つの課題は、光分散の補償という課題である。既存のWDM及びDWDMネットワークにおいてさえ、異なる波長からなる光信号は、光分散を受ける。光分散は、異なる周波数をもつそのスペクトル成分に光信号が分離されることを示す。光分散は、異なる波長が異なる速度で伝播するために生じる。光信号が既存の光ネットワークを通して伝播し、光分散を受けるとき、これら光信号は、十分なパフォーマンスを達成するために光分散の補償を受ける場合がある。特に、同じ変調技術を使用して変調されたチャネルからなる光信号における分散を補償するため、設計された分散補償ファイバが開発されている。
【００１９】
アップグレードされた送信機及び既存の送信機の両者を採用するシステムは、異なる変調技術を使用するチャネルに関する光分散の補償を実行することが必要である。100Gb/s信号（及び40Gb/s信号）で使用されるコヒーレント受信機がそれらの信号の分散の補償を行うことができる一方で、他の分散の補償のソースが（10Gb/s信号のような）それらの信号について提供される必要がある。さらに、コヒーレント受信機は、所定の距離を通して伝播する長距離信号について適切な分散の補償を提供することができないため、コヒーレント受信機を使用して受信された係る長距離信号について、他の分散の補償のソースが提供される必要がある。
【００２０】
たとえば、図２は、光ファイバを通してある距離を伝播する100Gb/s信号における累積される分散量４０を例示するグラフである。多くの応用では、光信号が2000キロメートルまで伝播できることが要求されるが、コヒーレント受信機は、係る距離で全ての累積される分散を補償することができない。たとえば、既存のコヒーレント受信機は、±22000ピコ秒/ナノメートルの範囲においてのみ補償する場合がある。この例に例示されるように、コヒーレント受信機のDSPは、累積される分散の第一の量４２のまで補償することができる。係る第一の量４２は、たとえば、ひとたび信号がシングルモードファイバを通して1294キロメータを伝播すると到達する場合がある。しかし、係る距離の後、累積される分散の更なる第二の量４４は、コヒーレント受信機のDSPにより補償することができない。従って、他のコンポーネントは、係る長距離信号における分散の補償のために使用される必要がある。
【００２１】
図１における例示的な実施の形態を参照して、ノード１２ａにより発生されたWDM信号は、異なる変調フォーマットを使用したチャネルのセットを含む場合がある。幾つかの実施の形態では、以下に更に詳細に記載されるように、WDM信号は、DPSK又はDQPSK変調を使用して40Gb/s及び100Gb/sの一方又は両方で情報を伝達する１以上のチャネルを含む場合がある。他の実施の形態では、以下に記載されるように、WDM信号は、DPSK又はDQPSK変調を使用して40Gb/s及び／又は100Gb/sで情報を伝達する高速チャネルのみを含む場合がある。しかし、これらの信号の幾つかは、係る信号を受信するコヒーレント受信機により提供される補償以外の更なる補償を必要とする長距離信号である。
【００２２】
これらの特定の例が与えられたが、WDM信号を含むチャネルのセットは、適切なビットレートで及び／又は適切な変調技術を使用して情報を伝達する場合がある。たとえば、１以上のチャネルは、10Gb/s、40Gb/s、80Gb/s、80を超えるGb/s、或いは他の適切なビットレートで情報を伝達する。１以上のチャネルは、RZ（return-to-zero）、CS-RZ（carrier  suppressed  return-to-zero）、NRZ、DPSK、DQPSK又は他の適切な変調技術のような変調技術を使用して情報を更に伝達する場合がある。本明細書で使用されるように、チャネルの「セット」とは、１以上のチャネルを含み、チャネル間での空間的又は他の指定されていない関係を意味しない（たとえば、あるチャネルのセットは、連続的であることを必要としない）。さらに、本明細書で使用されるように、「情報」は、ネットワークにおいて伝達、記憶又はソートされる情報を含む。この情報は、オーディオ、ビデオ、リアルタイム、非リアルタイム及び／又は他の適切なデータを符号化するために変調される少なくとも１つの特性を有する場合がある。さらに、光ネットワーク１０において伝達される情報は、限定されるものではないが、フレーム、パケットとして構造化されること、又は非構造化されたビットストリームを含む適切なやり方で構築される場合がある。
【００２３】
多チャネル信号が端末ノード１２ａから送信された後、この信号は、光ファイバ２８を通してOADM３０に伝達される（更には、係るOADMの前後で増幅される場合がある）。光ファイバ２８は、単一の一方向のファイバ、単一の双方向のファイバ、複数の一方向又は双方向のファイバを含む場合がある。この説明は、簡略化のため、一方向のトラフィックをサポートする光ネットワーク１０の実施の形態に焦点を当てているが、本発明は、光ネットワーク１０に沿って反対方向での情報の送信をサポートするため、以下に記載されるコンポーネントの適切に変更された実施の形態を含む双方向システムを更に意図している。
【００２４】
OADM３０は、分岐挿入モジュール（ADM）と同様に、増幅器を含む場合がある。ADMは、ファイバ２８に光信号を挿入し、及び／又はファイバ２８から光信号を分岐する装置又は装置の組み合わせを含む。ADMは、以下に更に十分に記載されるように、光信号における１以上のチャネルのセットにおける光分散の補償を提供する装置又は装置の組み合わせを含む場合がある。しかし、OADM３０は、インラインの分散補償モジュール（DCM）のようなインラインの分散補償コンポーネントを含まない。
【００２５】
DCMは、分散補償ファイバ（DCF）又は信号に光分散の補償を実行する他の分散補償装置を含む。（10Gb/sのNRZ信号のような）１つの信号のタイプを搬送する従来型ネットワークでは、信号のチャネルがDCMにより補償されるように、ファイバにインラインでDCMが設けられる。係るDCMは、信号がファイバに沿って伝播するときに信号を適切に補償する。しかし、コヒーレント受信機を含むネットワークでは、コヒーレント受信機は、受信された信号に分散の補償を実行し、従ってインラインのDCMは、望まれず、適切な分散の補償と干渉する可能性がある。しかし、これは、ネットワークが混合された信号のタイプを有するときに問題となり、この場合、信号の幾つかは、受信機に到達する前に分散の補償を必要とする。係る「混合された信号のタイプ」は、コヒーレント受信機を使用して受信された高速信号と混合されたダイレクト受信機を使用して受信された低速信号を含む場合があるか、又は、コヒーレント受信機を使用して受信された全ての高速信号を含む場合があるが、この場合、高速信号の幾つかは、コヒーレント受信機により適切に補償され、高速信号の残りは、これらが伝播する距離のために（コヒーレント受信機により提供される以外の）更なる補償を必要とする。
【００２６】
特定のチャネルの更なる補償を提供する必要のため、OADMは、インラインではない１以上のDCMであって、チャネルのうちの特定のチャネルに対する分散の補償を提供するために使用することができる１以上のDCMを含む場合がある。この特定のチャネルの「オフライン」の分散の補償は、以下に更に詳細に記載される。
【００２７】
ある信号が１以上のOADM３０を通過した後、その信号は、ファイバ２８に沿って端末ノード１２ｂに進行する。端末ノード１２ｂは、光ネットワーク１０を通して伝播される信号を受信する。端末ノード１２ｂは、デマルチプレクサ２０及び受信機２２を含む（更には、増幅器を含む場合もある）。デマルチプレクサ２０は、WDM、DWDM又は他の適切な多チャネル多重化技術を使用して多重化された異なるチャネルを分離する他の装置を含む。デマルチプレクサ２０は、複数の多重化されたチャネルを搬送する光信号を受信し、光信号の異なるチャネルを分離し、異なるチャネルを異なる受信機２２に通過させる。
【００２８】
受信機２２は、光信号を受信する受信機又は他の適切な装置を含む。それぞれの受信機２２は、符号化された情報を搬送する光信号のチャネルを受信し、情報を電気信号に復調する。受信機（RX）２２により受信されたこれらのチャネルは、送信機（TX）１４により送信されたチャネル及び／又はOADM３０により挿入されたチャネルを含む。特定の実施の形態では、幾つかの受信機２２は、ダイレクト受信機であり、幾つかの受信機は、コヒーレント受信機である場合がある。他の実施の形態では、全ての受信機２２は、コヒーレント受信機である。
【００２９】
動作において、端末ノード１２ａの送信機１４は、１以上のビットレートで、異なるチャネルを通して１以上の変調技術を使用して情報を送信する。マルチプレクサ１８は、これらの異なるチャネルを光信号に結合し、この信号を光ファイバ２８を通して伝達する。増幅器２６は、光信号を受信し、この信号を増幅し、増幅された信号を光ファイバ２８に沿って送出する。光ファイバ２８は、信号を１以上のOADM３０に伝送し、この１以上のOADMは、光信号からチャネルを分岐するか、及び／又は光信号にチャネルを挿入する。さらに、OADMは、受信機で補償されていない特定のチャネルに光分散の補償を適用するか、又は、受信機で適切に補償されていない特定のチャネルに光分散の補償を適用する。係る特定のチャネルのオフラインの補償は、図３〜図５に例示されるOADMに関して以下に詳細に記載される。
【００３０】
信号が１以上のOADM３０を通過した後、端末ノード１２ｂは、転送された信号を受信する。端末ノード１２ｂのデマルチプレクサ２０は、信号を受信し、信号を信号の構成チャネルに分離し、信号の構成チャネルを通過させる。それぞれのチャネルは、端末ノード１２ｂの関連する受信機２２により受信される。それらの受信機２２の幾つかは、受信された信号に補償を与えるコヒーレント受信機であり、他の受信機は、ダイレクト受信機であり、補償を与えない。係るダイレクト受信機について、（調節可能なモジュールである）更なる分散補償モジュールは、更なる補償を提供するために受信機に関連して提供される場合がある。
【００３１】
なお、特定のコンポーネントが示されているが、本発明の範囲から逸脱することなしに光ネットワーク１０に対して変更、追加又は省略が行われる場合があることに留意されたい。光ネットワーク１０のコンポーネントは、特定の必要に従って統合又は分離される場合がある。さらに、光ネットワーク１０の動作は、より多くのコンポーネント、より少ないコンポーネント又は他のコンポーネントにより実行される場合がある。さらに、上述されたように、光ネットワーク１０は、端末ノードによるポイントツーポイント光ネットワークとして示されているが、光ネットワーク１０は、リング型光ネットワーク、メッシュ型光ネットワーク、又は他の適切な光ネットワーク或いは光ネットワークの組み合わせとして構成される場合がある。
【００３２】
図３は、本発明の特定の実施の形態に係る光分散を補償する（図１のネットワークのOADM３０の一例である）OADM５１を例示するブロック図である。増幅器２６は図１の例示的な実施の形態の記載において上述されたが、この装置は、再び記載されない。上述されたように、増幅器２６は、幾つかの従来のOADMのように、関連するインラインのDCMを有さない。
【００３３】
OADM５１は、光ネットワーク１０で光信号を受信し、以下に記載されるように、受信された信号の所定のチャネルについて光分散の補償を実行する。特に、OADM５１は、長距離、（100Gb/sのような）高速のネットワークにおいて信号を補償するために有益であり、この場合、所定の高速チャネルは、コヒーレント受信機が累積される分散を補償することができるような距離を伝播し（たとえば、約1294キロメートル以下を伝播するチャネル）、他のチャネルは、この距離を超える距離を伝播し、更なる補償を必要とする。特に、図３の例示的な実施の形態では、OADM５１は、補償を必要としない１以上のチャネル６０からなる第一のセットを通過させ、（伝播した距離のために）係る補償を必要とする１以上のチャネル６２の第二のセットに光分散の補償を施す。OADM５１は、この機能を実行するために、カプラ３４、３８及び４２、波長選択スイッチ（WSS）３６、DCM４０及びデマルチプレクサ４４を含む。
【００３４】
カプラ３４，３８及び４２は、光信号を分離する光ファイバカプラ又は他の光コンポーネントを備える。カプラ３４、３８及び４２は、光信号の２つのコピーに光信号を分離する。
【００３５】
WSS３６は、複数の光信号を受信し、それぞれの信号を信号の構成チャネルに分離し、ゼロ、１又は複数の受信されたチャネルを終端し、残りのチャネルと挿入されたチャネルを多重化し、多重化された信号を光ネットワーク１０に沿って通過させるWSS又は他の装置である。
【００３６】
DCM４０は、異なる変調技術を使用して複数のチャネルのセットのそれぞれにおける光分散を補償する。
【００３７】
デマルチプレクサ（DEMUX）４４は、光信号を受信し、光信号におけるチャネルを分離する装置を含む。たとえば、デマルチプレクサ４４は、AWG（arrayed  waveguide  grating）又は別のWSSである。しかし、他の適切なデマルチプレクサ４４が使用される場合もある。
【００３８】
動作において、増幅器２６は、光ネットワーク１０で伝達される光信号を受信し、光信号を増幅し、増幅された光信号をOADM５１に送出する。上述されたように、光信号は、（たとえば100Gb/sチャネルといった）コヒーレント受信機を使用して受信された多数の高速チャネル６０及び６２を含む。ひとたび増幅されると、信号は、ファイバー２８を介してOADM５１の第一のカプラ３４に送出される。
【００３９】
OADM５１では、第一のカプラ３４は、増幅器２６から光信号を受信し、光信号を２つのコピーに分離し（それぞれのコピーはチャネル６０及び６２を含む）、第一のコピーをWSS３６に通過させ、第二のコピーをカプラ３８に分岐する。WSS３６は、第一のコピーを受信し、OADM５１で補償を必要としないチャネル６０を通過させ、OADM５１で補償されるべきチャネル６２を終端する。
【００４０】
第二のカプラ３８は、第二のコピーを受信し、第二のコピーをDCM４０に通過させる。なお、カプラ３８が位置される場合に信号のコピーが行われる必要がないため、係るカプラは必要とされない。しかし、カプラ３８は、ノードアーキテクチャに既に存在し、及び／又は、必要に応じて、ノードの再構成を可能にするように提供される場合がある（たとえば、以下の図の何れかで示されるコンフィギュレーションへのノードの再構成）。DCM４０は、信号の第二のコピーを補償する。DCM４０は、チャネル６２がネットワーク１０を通して伝播する長距離のために必要とされる更なる量だけチャネル６２を補償するために構成される。DCM４０は、チャネル６２が伝播する特定の距離に基づいて必要とされる更なる分散の特定の量を考慮するために調節可能な分散補償器である。以下に記載されるように、チャネル６０は、信号の第二のコピーの一部を構成し、DCM４０により補償されるが、（これらのチャネルを受信するコヒーレント受信機は、完全な分散補償を実行することができるため）係る補償は必要とされず、第二のコピーのこれらのチャネル６０は、終端される。分散補償を実行した後、DCM４０は、信号の第二のコピーを第三のカプラ４２に送出する。
【００４１】
カプラ４２は、DCM４０からの補償された信号を２つのコピーに分離し、第一のコピーをデマルチプレクサ４４に分岐し、（チャネル６０及び６２の両者を含む）コピーのチャネルを分離する。次いで、１以上のチャネルは、OADM５１の１以上のクライアント装置（又は他の適切な送り先）への通信のために関連するコヒーレント受信機に分岐されるか、終端される場合がある。チャネル６２は適切に補償されたため、これらのチャネルは、コヒーレント受信機により適切に処理される。
【００４２】
WSS３６は、カプラ４２から信号の第二のコピーを受信し、（必要とされない補償を受信したので）チャネル６０を終端し、補償されたチャネル６２をカプラ３４から受信された補償されていないチャネル６０と結合する。しかし、WSS３６は、OADM５１が係るチャネルにとって目的地となるノードである場合、及び／又はトラックがそのチャネルにおいてOADM５１で挿入される場合、特定のチャネル６２を終端する場合がある。次いで、WSS３６は、補償されていないチャネル６０及び補償されたチャネル６２（挿入されたチャネル）を有する新たな光信号をネットワークに送出する。
【００４３】
OADM５１の１つの例示的な応用は、長距離、高速ネットワークであり、この場合、大部分の信号は、1294キロメートル以下で伝送され、僅かな信号は、係る距離を通して伝送される。係る場合には、長距離ネットワークにおける選択されたOADMノードのみが図３に例示されるDCMを有する。たとえば、係るノードは、ネットワークの終わり近くで実現され、この場合、幾つかの信号は、1294キロメートルを超えて伝播される。OADM５１のようなOADMは、DCM及びその関連するコンポーネントに関連する挿入損失を克服することができる関連するラマンポンプを有することができる。特定の実施の形態では、DCMが複数のサブモジュールに分割することができ（それぞれが必要とされる補償の一部を実行する）、それらモジュールの幾つかは、挿入損失を軽減するために個々にラマンが供給される。代替的に又は付加的に、EDFAは、DCMの前又は後ろに挿入されるか、及び／又はDCMサブモジュール間に挿入される。
【００４４】
図３のOADM５１は、コヒーレント受信機により分散を補償することができる距離よりも遠い距離で伝播したチャネル６２を受信するために、長距離ネットワークの終わり近くにあることが有益であるが、ネットワークの他の位置においてチャネル６２を受信するために異なるOADMアーキテクチャが必要とされ、この場合、チャネル６２は、長距離を伝播する必要があり、従って更なる分散の補償を必要としない。係るアーキテクチャは、以下の図で記載される。
【００４５】
図４は、本発明の特定の実施の形態に係る光分散を補償する（図１のネットワークのOADM３０の１例である）OADM７１を例示するブロック図である。図３のOADM５１のように、OADM７１は、光ネットワーク１０で光信号を受信し、受信された信号の所定のチャネルについて光分散の補償を実行する。OADM５１のように、OADM７１は、長距離、（100Gb/sのような）高速ネットワークで信号を補償するために有効であり、この場合、所定の高速チャネルは、コヒーレント受信機が光分散を補償することができる距離を伝播し（たとえば、約1294キロメートル未満の距離を伝播するチャネル）、他のチャネルは、この距離を超える距離を伝播し、幾つかの更なる補償を必要とする。特に、図４の例示的な実施の形態では、OADM７１は、補償を必要としない１以上のチャネル６０の第一のセットを通して通過し、（伝播した距離のために）係る補償を必要とする１以上のチャネル６２の第二のセットに光分散の補償を実行する。
【００４６】
OADM５１と同様に、OADM７１は、この機能を実行するためにカプラ３４、３８及び４２、WSS３６、DCM４０及びデマルチプレクサ（DEMUX）４６を含む。これらのコンポーネントは、（デマルチプレクサ４６以外の）図３の同じ符号が付されたコンポーネントと同じであり、更なる詳細は記載されない。デマルチプレクサ４６は、カプラ４２の代わりにカプラ３８に結合される点を除いて、図３のデマルチプレクサ４４と同じタイプのコンポーネントである。
【００４７】
動作において、増幅器２６は、光ネットワーク１０で伝達される光信号を受信し、光信号を増幅し、増幅された光信号をOADM７１に送出する。上述されたように、光信号は、コヒーレント受信機を使用して受信された多数の高速チャネル６０及び６２を含む（たとえば100Gb/sチャネル）。ひとたび増幅されると、信号は、ファイバ２８を介してOADM７１の第一のカプラ３４に送出される。
【００４８】
OADM７１では、第一のカプラ３４は、増幅器２６から光信号を受信し、光信号を２つのコピーに分離し（それぞれのコピーはチャネル６０及び６２を含む）、第一のコピーをWSS３６に送出し、第二のコピーをカプラ３８に分離する。WSS３６は、以下に更に詳細に記載されるように、第一のコピーを受信し、OADM７１で補償を必要としないチャネル６０を通過し、OADM７１において補償されたチャネル６２を終端する。
【００４９】
第二のカプラ３８は、第二のコピーを受信し、第二のコピーの２つのコピーを作成する（第三のコピー及び第四のコピーと呼ぶ）。カプラ３８は、第三のコピーをデマルチプレクサ４６に送出し、第四のコピーをDCM４０に送出する。デマルチプレクサ４６は、第三のコピーを受信し、（チャネル６０及びチャネル６２の両者を含む）コピーのチャネルを分離する。１以上のチャネルは、OADM７１の１以上のクライアント装置（又は他の適切な送り先）への通信のために関連するコヒーレント受信機に分岐されるか、終端される場合がある。チャネル６２は、この時点で、ネットワーク１０を通してそれらの伝播において、関連するコヒーレント受信機に提供される補償に加えて、補償を必要としないため、DCM４０により補償される前に受信機に分岐され、コヒーレント受信機により適切に処理することができる。
【００５０】
DCM４０は、信号の第四のコピーを補償する。DCM４０は、ネットワーク１０を通して係るチャネル６２が最終的に伝播する長距離のために必要とされる更なる量だけチャネル６２を補償するために構成される。係る更なる補償は、OADM７１が位置されるネットワーク１０の位置で必要とされないが、係る補償は、ネットワーク１０における更なる伝播の後に信号の受信のために必要とされる。更に、以下に説明されるように、チャネル６０は、信号の第四のコピーの一部を構成し、DCM４０により補償されるが、係る補償は、（これらのチャネルを受信するコヒーレント受信機が完全な分散の補償を実行することができるために）必要とされず、第四のコピーのこれらのチャネル６０は、終端される。
【００５１】
分散の補償を実行した後、DCM４０は、信号の第四のコピーを第三のカプラ４２に送出する。次いで、カプラ４２は、信号をWSS３６に送出する。カプラー４２が位置される場合には信号のコピーが行われる必要がないので、係るカプラは、必要とされない。しかし、カプラ４２は、ノードアーキテクチャに既に存在する場合があり、及び／又は必要に応じて、ノードの再構成を可能にするために設けられる場合がある（たとえば、図３に示されるコンフィギュレーションへのノードの再構成）。
【００５２】
WSS３６は、カプラ４２から信号の第二のコピーを受信し、（必要とされない補償を受信したので）チャネル６０を終端し、補償されたチャネル６２をカプラー３４から受信された補償されないチャネル６０と結合する。しかし、WSS３６は、OADM７１が係るチャネルについて目的地となるノードである場合、及び／又はトラフィックがそのチャネルにおけるOADM７１で挿入される場合に、特定のチャネル６０を終端する場合がある。次いで、WSS３６は、補償されていないチャネル６０と補償されたチャネル６２（及び挿入されたチャネル）を含む新たな光信号をネットワークに送出する。
【００５３】
図３及び図４のOADMアーキテクチャは、（チャネル６２のような）特定のチャネルが補償を必要とするネットワークの特定の位置が固定されるリニアネットワークにおいて有効である。しかし、リング型ネットワーク又は相互接続されたリングのネットワークでは、係る位置は、あるチャネルを最初に送信したノードの位置に関連し、係る位置は、異なる位置での異なるチャネルについて異なる場合がある。従って、リング型ネットワークにおける所与のノードで、ノードは、更なる分散の補償を提供することなしに幾つかのチャネルを通過させる必要があり、信号が対応する受信機で受信される前に更なる分散の補償をはじめに提供することなしに、幾つかのチャネルを分岐する必要があり、信号が対応する受信機で受信される前に更なる分散の補償を必要とする幾つかのチャネルを分岐する必要がある場合がある。
【００５４】
図５は、本発明の特定の実施の形態に係る光分散を補償する（図１のネットワークのOADM３０の１例である）OADM９１を例示するブロック図である。図３及び図４のOADM５１及び７１と同様に、OADM９１は、光ネットワーク１０で光信号を受信し、受信された信号の所定のチャネルについて光分散の補償を実行する。特に、図５の例示的な実施の形態では、OADM９１は、補償を必要としない１以上のチャネル６０の第一のセットを通過させ、（伝播した又は伝播することとなる距離のために）係る補償を必要とする１以上のチャネル６２の第二のセット光分散の補償を実行する。しかし、前に例示されたOADMとは異なり、OADM９１は、適切に受信されるように更なる補償を必要としないチャネル６２のうちの所定のチャネル（チャネル６２ｂ）を分岐し、適切に受信されるように更なる補償を必要とするチャネル６２のうちの他のチャネル（チャネル６２ａ）を分岐する。
【００５５】
OADM５１及び７１と同様に、OADM９１は、カプラ３４、３８及び４２、WSS３６及びDCM４０を含む。これらのコンポーネントは、図３及び図４の同じ符号が付されたコンポーネントと同じであり、更に詳細に記載されない。しかし、（図４における）カプラ３８に結合されるか、又は（図３における）カプラ４２に結合されるデマルチプレクサを有する代わりに、OADM９１は、カプラ３８及び４２の両者に結合されるWSS９４、このWSS９４に結合されるデマルチプレクサ（DEMUX）９６を有する。以下に説明されるように、このコンフィギュレーションは、分散の補償がDCM４０により適用される前又は後にチャネル６２が分岐されるのを可能にする。
【００５６】
動作において、増幅器２６は、光ネットワーク１０に伝達される光信号を受信し、光信号を増幅し、増幅された光信号をOADM９１に送出する。上述されたように、光信号は、コヒーレント受信機を使用して受信される多数の高速チャネル６０及び６２（たとえば100Gb/sチャネル）を含む。ひとたび増幅されると、信号は、OADM９１の第一のカプラ３４に送出される。
【００５７】
OADM９１では、第一のカプラ３４は、増幅器２６から光信号を受信し、光信号を２つのコピーに分離し（それぞれのコピーはチャネル６０及び６２を含む）、第一のコピーをWSS３６に送出し、第二のコピーをカプラ３８に分岐する。以下に更に詳細に記載されるように、WSS３６は、第一のコピーを受信し、OADM９１で補償を必要としないチャネル６０を通過させ、OADM９１で補償されるべきチャネル６２（チャネル６２ａ及び６２ｂの両者）を終端する。
【００５８】
第二のカプラ３８は、第二のコピーを受信し、第二のコピーの２つのコピーを作成する（第三のコピー及び第四のコピーと呼ばれる）。カプラ３８は、第三のコピーをWSS９４に送出し、第四のコピーをDCM４０に送出する。DCM４０は、信号の第四のコピーを補償する。DCM４０は、係るチャネル６２ａがネットワーク１０を通して伝播した長距離又は最終的に伝播することとなる長距離のために必要とされる更なる量だけチャネル６２ａを補償するように構成される。さらに、チャネル６０は、信号の第四のコピーの一部を構成し、DCM４０により補償されないが、以下に説明されるように、（これらのチャネルを受信するコヒーレント受信機は完全な分散の補償を実行することができるため）係る補償は、必要とされず、第四のコピーのこれらのチャネル６０は、終端される。分散の補償を実行した後、DCM４０は、信号の第四のコピーを第三のカプラ４２に送出する。次いで、カプラ４２は、補償された信号の２つのコピーを作成し、１つのコピーをWSS３６に送出し、他のコピーをWSS９４に送出する。
【００５９】
WSS９４は、カプラ３８から入力信号の補償されていないコピーを受信し、カプラ４２から補償された信号のコピーを受信する。図はカプラ３８から到来するチャネル６２ｂのみ及びカプラ４２から到来するチャネル６２ａのみを例示しているが、信号の全てのチャネルが送出される（例示されるチャネル６２ａ及び６２ｂは、受信機に最終的に分岐さテルチャネル及び／又はＷＳＳ３６を通して送出されるチャネルである）。WSS９４は、デマルチプレクサに送出されるチャネルのうちの特定のチャネルをフィルタリングする。たとえば、WSS９４は、カプラ３８から受信された全てのチャネル６２ａをブロックし、カプラ３８から受信された１以上のチャネル６２ｂを通過させ、カプラ４２から受信された全てのチャネル６２ｂをブロックし、カプラ４２から受信された１以上のチャネル６２ａを通過させる。このように、同じ波長における複製信号は、デマルチプレクサ９６に送出されず、（必要に応じて、DCM４０から更なる補償を受信したか又は受信されていない）適切に補償された信号のみがデマルチプレクサ９６に送出される。デマルチプレクサ９６は、WSS９４から受信された信号のチャネルを分離し、次いで、これらのチャネルのうちの１以上のチャネルは、OADM９１の１以上のクライアント装置（又は他の適切な送り先）への通信のために関連するコヒーレント受信機に分岐されるか、又は終端される場合がある。
【００６０】
WSS３６は、カプラ４２から補償された入力信号のコピーを受信し、（不要とされない補償を受信したので）チャネル６０を終端し、補償されたチャネル６２をカプラ３４から受信された補償されていないチャネル６０と結合する。しかし、WSS３６は、OADM９１が係るチャネルについて目的地となるノードである場合、及び／又はトラフィックがそのチャネルにおいてOADM９１で挿入された場合、特定のチャネル６２を終端する場合がある。次いで、WSS３６は、補償されていないチャネル６０と補償されたチャネル６２を含む新たな光信号をネットワークに送出する。
【００６１】
図５のOADM９１は、多用途であり、多くのタイプのネットワークにおいて必要に応じて高速トラフィックを適切に補償することができるが、コヒーレント受信機で受信された高速信号と、ダイレクト受信機で受信された（10Gb/s信号又は40Gb/s信号のような）低速信号とを混合するネットワークを考慮していない。係る低速信号は、高速信号とは異なるタイプの補償を必要とするため、別のタイプの分散補償がノードにより提供される場合がある。
【００６２】
図６は、本発明の特定の実施の形態に係る光分散を補償する（図１のネットワークのOADM３０の１例である）OADM１１１を例示するブロック図である。図３、図４及び図５のOADM５１、７１及び９１のように、OADM１１１は、光ネットワーク１０の光信号を受信し、受信された信号の所定のチャネルについて光分散の補償を行う。特に、OADM９１のように、OADM１１１は、補償を必要としない１以上のチャネル６０の第一のセットを通過させ、（伝播した距離又は伝播することとなる距離のため）係る補償を必要とする１以上のチャネル６２の第二のセットに光分散の補償を実行する。また、OADM９１のように、OADM１１１は、適切に受信されるように更なる補償を必要とするチャネル６２のうちの所定のチャネル（チャネル６２ａ）を分岐し、適切に受信されるように更なる補償をなお必要としないチャネル６２のうちの他のチャネル（チャネル６２ｂ）を分岐する。さらに、OADM１１１は、チャネル６２ａとは異なる量の分散の補償を必要とする低速のチャネル６４に対する補償を与える。
【００６３】
上述されたOADMと同様に、OADM１１１は、カプラ２４、３８及び４２、WSS３６及び９４、並びにデマルチプレクサ（DEMUX）９６を含む。これらのコンポーネントは、図５の同じ符号が付されたコンポーネントと同じであり、更に詳細に説明されない。しかし、チャネル６２ａを補償するために使用されるDCM４０に加えて、OADM１１１は、低速チャネル６４を補償するために使用されるDCM１１４（及び関連するカプラ１１６）を有する。
【００６４】
動作において、増幅器２６は、光ネットワーク１０で伝達される光信号を受信し、光信号を増幅し、増幅された光信号をOADM１１１に送出する。上述されたように、光信号は、コヒーレント受信機を使用して受信された多数の高速チャネル６０及び６２、及びダイレクト受信機を使用して受信された低速チャネル６４を含む。
【００６５】
OADM１１１において、第一のカプラ３４は、増幅器２６からの光信号を受信し、光信号を２つのコピーに分離し（それぞれのコピーはチャネル６０、６２及び６４を含む）、第一のコピーをWSS３６に送出し、第二のコピーをカプラ３８に分岐する。WSS３６は、以下に詳細に説明されるように、第一のコピーを受信し、OADM１１１で補償を必要としないチャネル６０を通過させ、チャネル６２（チャネル６２ａ及び６２ｂの両者）及びOADM１１１で補償されるべきチャネル６４を終端する。
【００６６】
第二のカプラ３８は、第二のコピーを受信し、第二のコピーの３つのコピーを作成する（第三、第四及び第五のコピーと呼ばれる）。カプラ３８は、第三のコピーをWSS９４に送出し、第四のコピーをDCM４０に送出し、第五のコピーをDCM１１４に送出する。
【００６７】
DCM４０は、信号の第四のコピーを補償する。DCM４０は、係るチャネル６２ａがネットワーク１０を通して伝播したか又は最終的に伝播することとなる長距離のために必要とされる更なる量でチャネル６２ａを補償する。さらに、チャネル６０及び６４は、信号の第四のコピーの一部を構成し、DCM４０により補償されるが、以下に説明されるように、係る補償は、適切ではなく、第四のコピーのこれらのチャネル６０及び６４は、終端される。分散の補償を実行した後、DCM４０は、信号の補償された第四のコピーを第三のカプラ４２に送出する。次いで、カプラ４２は、補償された信号の２つのコピーを作成し、一方のコピーをWSS３６に送出し、他方のコピーをWSS９４に送出する。
【００６８】
DCM１１４は、信号の第五のコピーを補償する。DCM１１４は、従来の低速ネットワークで使用された従来のインラインの分散補償装置により行われたように、チャネル６４を補償する。たとえば、それぞれのOADM１１１におけるDCM１１４は、ノードと前のノードとの間のファイバーにおいて累積される分散の９５％を補償する場合がある。適切な補償は、信号のタイプ及びファイバのタイプに基づいて適用される場合がある。さらに、チャネル６０及び６２は、信号の第五のコピーを構成し、DCM１１４により補償されたが、以下に説明されるように、係る補償は、適切ではなく、第五のコピーのこれらのチャネル６０及び６２は終端される。分散の補償を実行した後、DCM１１４は、信号の補償された第五のコピーを第四のカプラ１１６に送出する。次いで、カプラ１１６は、補償された信号の２つのコピーを作成し、一方のコピーをWSS３６に送出し、他方のコピーをWSS９４に送出する。
【００６９】
WSS９４は、カプラ３８からの入力信号の補償されていないコピーを受信し、カプラ４２及び１１６からの補償された信号のコピーを受信する。図はカプラ３８から到来するチャネル６２ｂのみ、カプラ４２から到来するチャネル６２ａのみ、カプラ１１６から到来するチャネル６４のみを例示しているが、信号の全てのチャネルが送出される場合がある（例示されるチャネルは、受信機に最終的に分岐されるそれぞれの信号、及び／又はＷＳＳ３６を通して送出されるそれぞれの信号のチャネルである）。WSS９４は、デマルチプレクサに送出されるべきチャネルのうちの特定のチャネルをフィルタリングする。たとえば、WSS９４は、カプラ３８から受信された全てのチャネル６２ａ及び６４をブロックし、カプラ３８から受信された１以上のチャネル６２ｂを通過させ、カプラ４２から受信された全てのチャネル６２ｂ及び６４をブロックし、カプラ４２から受信された１以上のチャネル６２ａを通過させ、カプラ１１６から受信された全てのチャネル６２ａ及び６２ｂをブロックし、カプラ１１６から受信された１以上のチャネル６４を通過させる。このようにして、同じ波長における複製信号は、デマルチプレクサ９６に送出されず、適切に補償された信号のみがデマルチプレクサ９６に送出される。デマルチプレクサ９６は、ＷＳＳ９４から受信された信号のチャネルを分離し、次いで、これらのチャネルのうちの１以上のチャネルは、OADM１１１の１以上のクライアント装置（又は他の適切な送り先）への通信のために関連するコヒーレント受信機に分岐されるか、又は終端される場合がある。
【００７０】
WSS３６は、カプラ４２からの補償された入力信号のコピーを受信し、（不必要な補償を受信したので）チャネル６０を終端し、（不適切な補償を受信したので）チャネル６４を終端し、補償されたチャネル６２をカプラ３４から受信された補償されていないチャネル６０と結合する。WSS３６は、カプラ１１６からの補償された入力信号のコピーを受信し、（必要とされない補償を受信したので）チャネル６０を終端し、（不適切な補償を受信したので）チャネル６２を終端し、補償されたチャネル６４をカプラ３４から受信された補償されていないチャネル６０及びカプラ４２から受信された補償されたチャネル６２と結合する。WSS３６は、OADM１１１が係るチャネルについて目的地となるノードである場合及び／又はトラフィックがそのチャネルでOADM１１１で挿入されている場合に、特定のチャネルを終端する。次いで、WSS３６は、補償されていないチャネル６０と補償されたチャネル６２及び６４（並びに挿入されたチャネル）を含む新たな光信号をネットワークに送出する。
【００７１】
本発明は幾つかの実施の形態と共に記載されたが、様々な変形及び変更が当業者に示唆される場合がある。本発明は、特許請求の範囲に含まれるような係る変形及び変更を包含することが意図される。たとえば、変更、変形又は省略は、本発明の範囲から逸脱することなしに記載されるOADMに対して行われる場合がある。記載されたOADMのコンポーネントは、特定の必要に従って統合又は分離される場合がある。さらに、OADMの動作は、より多くのコンポーネント、より少ないコンポーネント又は他のコンポーネントにより実行される場合がある。
【００７２】
本願発明の概要を付記として以下に示す。
【００７３】
（付記１）
光信号の光分散を補償する方法であって、
光ネットワークの第一のノードで複数のチャネルを含む光信号を受信するステップと、前記複数のチャネルは、それぞれが前記光ネットワークの第二のノードで１以上のコヒーレントデジタル受信機を使用して受信される１以上のチャネルからなる第一のセットと１以上のチャネルからなる第二のセットとを含み、それぞれのコヒーレントデジタル受信機は、前記第二のノードで受信されたチャネルについて電子的な光分散の補償を提供し、
前記第一のノードでの前記１以上のチャネルからなる第一のセットへの光分散の補償を施すことなしに、前記第一のノードから前記１以上のチャネルからなる第一のセットを転送するステップと、
前記第一のノードで前記１以上のチャネルからなる第二のセットにおける光分散を補償し、前記第一のノードから前記１以上のチャネルからなる第二のセットを転送するステップとを含み、
前記第一のノードでの前記１以上のチャネルからなる第二のセットへの光分散の補償は、前記第二のノードでの関連するコヒーレントデジタル受信機により提供される光分散の補償に加えて提供される光分散の補償である、方法。
（付記２）
前記１以上のチャネルからなる第一のセットは、前記１以上のチャネルからなる第一のセットの始点から前記第二のノードまでの予め指定された距離未満の距離にわたり伝送され、
前記１以上のチャネルからなる第二のセットは、前記１以上のチャネルからなる第二のセットの始点から前記第二のノードまでの前記予め指定された距離を超える距離にわたり伝送され、
前記第二のノードのコヒーレントデジタル受信機は、前記予め指定された距離を超える距離について伝送された信号の光分散を完全に補償することができない、
付記１記載の方法。
（付記３）
前記予め指定された距離は、1294キロメートルである、
付記２記載の方法。
（付記４）
前記１以上のチャネルからなる第一のセットにおいて伝送される情報は、100Gb/sで伝送され、
前記１以上のチャネルからなる第二のセットにおいて伝送される情報は、100Gb/sで伝送される、
付記１記載の方法。
（付記５）
前記第一のノードでの前記１以上のチャネルからなる第一のセットへの光分散の補償を施すことなしに、前記第一のノードから前記１以上のチャネルからなる第一のセットを転送する前記ステップ、及び前記第一のノードで前記１以上のチャネルからなる第二のセットにおける光分散を補償し、前記第一のノードから前記１以上のチャネルからなる第二のセットを転送する前記ステップは、
前記受信された光信号を、少なくとも前記受信された光信号の第一のコピーと前記受信された第二のコピーとに分割するステップと、
前記第一のノードのスイッチで、前記第一のコピーにおける前記１以上のチャネルからなる第二のセットを終端するステップと、
前記第二のコピーに光分散の補償を施すステップと、
前記スイッチで前記第二のコピーにおける前記１以上のチャネルからなる第一のセットを終端するステップと、
前記第一のコピーにおける前記１以上のチャネルからなる第一のセットと、光分散の補償が施された前記第二のコピーにおける前記１以上のチャネルからなる前記第二のセットとを結合するステップと、
を含む付記１記載の方法。
（付記６）
前記第二のコピーに光分散の補償を施した後、補償された第二のコピーを第三のコピーと第四のコピーとに分割するステップと、
前記第三のコピーを前記スイッチに転送して、前記スイッチで前記第三のコピーにおける前記１以上のチャネルからなる第一のセットを終端し、前記スイッチで前記第三のコピーにおける前記１以上のチャネルからなる第二のセットを前記第一のコピーにおける前記１以上のチャネルからなる第一のセットと結合するステップと、
前記第四のコピーのチャネルを分離するステップと、
前記第一のノードに関連する１以上のコヒーレントデジタル受信機で、前記第四のコピーの１以上のチャネルにおける情報を受信するステップと、
を更に含む付記５記載の方法。
（付記７）
前記第二のコピーに光分散の補償を施す前に、前記第二のコピーを第三のコピーと第四のコピーとに分割するステップと、
前記第三のコピーを前記第一のノードの光分散の補償装置に転送するステップと、
補償された第三のコピーを前記光分散の補償装置から前記スイッチに転送し、前記スイッチで前記第二のコピーにおける前記１以上のチャネルからなる第一のセットを終端し、前記スイッチで前記第三のコピーにおける前記１以上のチャネルからなる第二のセットを前記第一のコピーにおける前記１以上のチャネルからなる第一のセットと結合するステップと、
前記第四のコピーのチャネルを分離するステップと、
前記第一のノードに関連する１以上のコヒーレントデジタル受信機で、前記第四のコピーの１以上のチャネルにおける情報を受信するステップと、
を更に含む付記５記載の方法。
（付記８）
前記第一のノードでの前記１以上のチャネルからなる第一のセットに光分散の補償を施すことなしに、前記第一のノードから前記１以上のチャネルからなる第一のセットを転送する前記ステップ、及び前記第一のノードで前記１以上のチャネルからなる第二のセットにおける光分散を補償し、前記第一のノードから前記１以上のチャネルからなる第二のセットを転送する前記ステップは、
前記受信された光信号を、少なくとも前記受信された光信号の第一のコピーと前記受信された光信号の第二のコピーとに分割するステップと、
前記第一のノードの第一のスイッチで前記第一のコピーにおける前記１以上のチャネルからなる第二のセットを終端するステップと、
前記第二のコピーを第三のコピーと第四のコピーとに分割するステップと、
光分散の補償を施すことなしに、前記第三のコピーを前記第一のノードの第二のスイッチに転送するステップと、
光分散の補償装置を使用して前記第四のコピーに光分散の補償を施し、補償された第四のコピーを前記第一のスイッチと前記第二のスイッチとに転送するステップと、
前記第三のコピーのゼロ以上のチャネルと前記第四のコピーのゼロ以上のチャネルとを前記第二のスイッチからデマルチプレクサに転送し、前記デマルチプレクサを使用して前記転送されたチャネルを分離し、前記第一のノードに関連する１以上のコヒーレントデジタル受信機で前記転送されたチャネルにおける情報を受信するステップと、
前記第一のスイッチで前記第四のコピーにおける前記１以上のチャネルからなる第一のセットを終端するステップと、
前記第一のスイッチで、前記第一のコピーにおける前記１以上のチャネルからなる第一のセットを、光分散の補償が施された前記第四のコピーにおける前記１以上のチャネルからなる第二のセットと結合するステップと、
を含む付記１記載の方法。
（付記９）
前記受信された光信号は、前記第二のノードで１以上のダイレクト受信機を使用してそれぞれ受信される１以上のチャネルからなる第三のセットを含み、
当該方法は、
前記第一のノードで前記１以上のチャネルからなる第三のセットに光分散の補償を施し、前記第一のノードから前記１以上のチャネルからなる第三のセットを転送するステップを含み、
前記１以上のチャネルからなる前記第三のセットへの光分散の補償は、前記１以上のチャネルからなる第二のセットへの光分散の補償とは異なる、
付記１記載の方法。
（付記１０）
前記１以上のチャネルからなる第一のセットにおいて伝送される情報は、40Gb/s又は100Gb/sで伝送され、
前記１以上のチャネルからなる第二のセットにおいて伝送される情報は、40Gb/s又は100Gb/sで伝送され、
前記１以上のチャネルからなる第三のセットにおいて伝送される情報は、10Gb/sで伝送される、
付記９記載の方法。
（付記１１）
複数のチャネルを含む光信号の光分散を補償する光ネットワークの第一のノードであって、
前記複数のチャネルは、前記光ネットワークの第二のノードで１以上の受信機を使用してそれぞれ受信される前記１以上のチャネルからなる第一のセットと１以上のチャネルからなる第二のセットとを含み、それぞれのコヒーレントデジタル受信機は、前記第二のノードで受信されたチャネルの電子的な光分散の補償を提供し、
当該第一のノードは、
当該第一のノードで前記１以上のチャネルからなる第一のセットに光分散の補償を施すことなしに、当該第一のノードから前記１以上のチャネルからなる第一のセットを転送するスイッチと、
当該第一のノードで前記１以上のチャネルからなる第二のセットにおける光分散を補償する光分散補償装置とを備え、
前記光分散補償装置は、前記１以上のチャネルからなる第二のセットに関連する前記第二のノードで前記コヒーレントデジタル受信機により提供される光分散の補償に加えて光分散の補償を提供し、
前記スイッチは、前記光分散補償装置から前記１以上のチャネルからなる第二のセットを受信し、当該第一のノードからの前記１以上のチャネルからなる第二のセットを、前記１以上のチャネルからなる第一のセットと共に転送する、
第一のノード。
（付記１２）
前記１以上のチャネルからなる第一のセットは、前記１以上のチャネルからなる第一のセットの始点から前記第二のノードまでの予め指定された距離未満の距離にわたり伝送され、
前記１以上のチャネルからなる第二のセットは、前記１以上のチャネルからなる第二のセットの始点から前記第二のノードまでの前記予め指定された距離を超える距離にわたり伝送され、
前記第二のノードのコヒーレントデジタル受信機は、前記予め指定された距離を超える距離について伝送された信号の光分散を完全に補償することができない、
付記１１記載の第一のノード。
（付記１３）
前記予め指定された距離は、1294キロメートルである、
付記１２記載の第一のノード。
（付記１４）
前記１以上のチャネルからなる第一のセットにおいて伝送される情報は、100Gb/sで伝送され、
前記１以上のチャネルからなる第二のセットにおいて伝送される情報は、100Gb/sで伝送される、
付記１１記載の第一のノード。
（付記１５）
前記受信された光信号を、少なくとも前記受信された第一のコピーと前記受信された光信号の第二のコピーとに分割する第一のカプラを更に備え、
前記スイッチは、前記第一のコピーにおける前記１以上のチャネルからなる第二のセットを終端し、
前記光分散補償装置は、前記第二のコピーに光分散の補償を施し、
前記スイッチは、前記第二のコピーにおける前記１以上のチャネルからなる第一のセットを終端し、
前記スイッチは、前記第一のコピーにおける前記１以上のチャネルからなる第一のセットを、光分散の補償が施された前記第二のコピーにおける前記１以上のチャネルからなる第二のセットと結合する、
付記１１記載の第一のノード。
（付記１６）
前記光分散補償装置から前記補償された第二のコピーを受信し、補償された第二のコピーを第三のコピーと第四のコピーとに分割する第二のカプラと、
前記第四のコピーを受信し、受信された第四のコピーを分離して、前記第四のコピーの１以上のチャネルを１以上のコヒーレントデジタル受信機に転送するデマルチプレクサとを更に備え、
前記スイッチは、前記第三のコピーを受信し、前記第三のコピーにおける前記１以上のチャネルからなる第一のセットを終端し、前記第三のコピーにおける前記１以上のチャネルからなる第二のセットを前記第一のコピーにおける前記１以上のチャネルからなる第一のセットと結合する、
付記１５記載の第一のノード。
（付記１７）
前記第一のカプラから前記第二のコピーを受信し、受信された第二のコピーを第三のコピーと第四のコピーとに分割し、前記第三のコピーを前記光分散補償装置に転送する第二のカプラと、
前記第四のコピーを受信し、受信された第四のコピーのチャネルを分離し、前記第四のコピーの分離された１以上のチャネルを１以上のコヒーレントデジタル受信機に転送するデマルチプレクサとを更に備え、
前記スイッチは、前記光分散補償装置から補償された第三のコピーを受信し、前記第二のコピーにおける前記１以上のチャネルからなる第一のセットを終端し、前記第三のコピーにおける前記１以上のチャネルからなる第二のセットを前記第一のコピーにおける前記１以上のチャネルからなる第一のセットと結合する、
付記１５記載の第一のノード。
（付記１８）
前記受信された光信号を、少なくとも前記受信された光信号の第一のコピーと前記受信された第二のコピーとに分離する第一のカプラと、前記スイッチは、前記第一のコピーにおける前記１以上のチャネルからなる第二のセットを終端し、
前記第二のコピーを第三のコピーと第四のコピーとに分割し、光分散の補償を施すことなしに前記第三のコピーを当該第一のノードの第二のスイッチに転送し、前記第四のコピーを前記光分散補償装置に転送する第二のカプラと、前記光分散補償装置は、前記第四のコピーに光分散の補償を施し、補償された第四のコピーを前記第一のスイッチと前記第二のスイッチとに転送し、
前記第三のコピーのゼロ以上のチャネルと、前記第二のスイッチからの前記第四のコピーのゼロ以上のチャネルとをデマルチプレクサに転送する第二のスイッチと、
前記受信されたチャネルを分離して、分離されたチャネルを当該第一のノードに関連する１以上のコヒーレントデジタル受信機に転送するデマルチプレクサとを更に備え、
前記スイッチは、前記第四のコピーにおける前記１以上のチャネルからなる第一のセットを終端し、前記第一のコピーにおける前記１以上のチャネルからなる第一のセットを、光分散の補償が施された前記第四のコピーにおける前記１以上のチャネルからなる第二のセットと結合する、
付記１１記載の第一のノード。
（付記１９）
前記受信された光信号は、前記第二のノードで１以上のダイレクト受信機を使用してそれぞれ受信される１以上のチャネルのセットからなる第三のセットを含み、
当該第一のノードは、前記１以上のチャネルからなる第三のセットにおける光分散を補償する第二の光分散補償装置を更に備え、
前記１以上のチャネルからなる第三のセットへの光分散の補償は、前記１以上のチャネルからなる第二のセットへの光分散の補償とは異なる、
付記１１記載の第一のノード。
（付記２０）
前記１以上のチャネルからなる第一のセットで伝送される情報は、40Gb/s又は100Gb/sで伝送され、
前記１以上のチャネルからなる第二のセットで伝送される情報は、40Gb/s又は100Gb/sで伝送され、
前記１以上のチャネルからなる第三のセットで伝送される情報は、10Gb/sで伝送される、
付記１９記載の第一のノード。
【符号の説明】
【００７４】
１０：光ネットワーク
１２ａ，１２ｂ：端末ノード
１４：送信機
１８：マルチプレクサ
２０：デマルチプレクサ
２２：受信機
２６：増幅器
２８：ファイバ
３０：光分岐挿入多重化装置（OADM）
３４，３８，４２：カプラ
３６：波長選択スイッチ（WSS）
４０：分散補償モジュール（DCM）
４４：デマルチプレクサ
【図１】
2011193462.tif 000003
【図２】
2011193462.tif 000004
【図３】
2011193462.tif 000005
【図４】
2011193462.tif 000006
【図５】
2011193462.tif 000007
【図６】
2011193462.tif 000008